(57)【要約】  本開示の一態様に係るユーザ端末は、上りリンク制御チャネル（ＰＵＣＣＨ：Physical  Uplink  Control  Channel）繰り返し及び動的ＨＡＲＱ−ＡＣＫ（Hybrid  Automatic  Repeat  reQuest  Acknowledgement）コードブックを設定される場合に、トータル下りリンク割当てインデックス（Ｔ−ＤＡＩ：Total  Downlink  Assignment  Index）、カウンタ下りリンク割当てインデックス（Ｃ−ＤＡＩ：Counter  Downlink  Assignment  Index）、下りリンク共有チャネル（ＰＤＳＣＨ：Physical  Downlink  Shared  Channel）の受信から当該ＰＤＳＣＨに対応するＨＡＲＱ−ＡＣＫの送信までのタイミング及び繰り返し因数の少なくとも１つに基づいて、スロットごとのＰＵＣＣＨ送信のためのコードブックを決定する制御部と、前記コードブックに基づくＨＡＲＱ−ＡＣＫを、ＰＵＣＣＨ繰り返しを適用して送信する送信部と、を有することを特徴とする。本開示の一態様によれば、ＰＵＣＣＨ繰り返しが用いられる場合であっても、ＵＣＩを適切に送信できる。
2020026296.tif 000002
【特許請求の範囲】
【請求項１】
上りリンク制御チャネル（ＰＵＣＣＨ：Physical  Uplink  Control  Channel）繰り返し及び動的ＨＡＲＱ−ＡＣＫ（Hybrid  Automatic  Repeat  reQuest  Acknowledgement）コードブックを設定される場合に、トータル下りリンク割当てインデックス（Ｔ−ＤＡＩ：Total  Downlink  Assignment  Index）、カウンタ下りリンク割当てインデックス（Ｃ−ＤＡＩ：Counter  Downlink  Assignment  Index）、下りリンク共有チャネル（ＰＤＳＣＨ：Physical  Downlink  Shared  Channel）の受信から当該ＰＤＳＣＨに対応するＨＡＲＱ−ＡＣＫの送信までのタイミング及び繰り返し因数の少なくとも１つに基づいて、スロットごとのＰＵＣＣＨ送信のためのコードブックを決定する制御部と、
前記コードブックに基づくＨＡＲＱ−ＡＣＫを、ＰＵＣＣＨ繰り返しを適用して送信する送信部と、を有することを特徴とするユーザ端末。
【請求項２】
前記制御部は、ＰＵＣＣＨ繰り返し中に、所定の値を超えない範囲で前記コードブックのサイズの変動を許容することを特徴とする請求項１に記載のユーザ端末。
【請求項３】
前記制御部は、ＰＵＣＣＨ繰り返し中のスロットにおいて、前のＰＤＳＣＨのためのＨＡＲＱ−ＡＣＫをドロップし、より新しいＰＤＳＣＨのためのＨＡＲＱ−ＡＣＫを送信するように制御することを特徴とする請求項１又は請求項２に記載のユーザ端末。
【請求項４】
前記制御部は、ＰＵＣＣＨ繰り返し中に、前記コードブックのサイズを同じに維持することを特徴とする請求項１に記載のユーザ端末。
【請求項５】
前記送信部は、複数のＰＵＣＣＨ繰り返しを、１スロット内の時間的に重複しないリソースを用いて送信することを特徴とする請求項１に記載のユーザ端末。
【請求項６】
上りリンク制御チャネル（ＰＵＣＣＨ：Physical  Uplink  Control  Channel）繰り返し及び動的ＨＡＲＱ−ＡＣＫ（Hybrid  Automatic  Repeat  reQuest  Acknowledgement）コードブックを設定される場合に、トータル下りリンク割当てインデックス（Ｔ−ＤＡＩ：Total  Downlink  Assignment  Index）、カウンタ下りリンク割当てインデックス（Ｃ−ＤＡＩ：Counter  Downlink  Assignment  Index）、下りリンク共有チャネル（ＰＤＳＣＨ：Physical  Downlink  Shared  Channel）の受信から当該ＰＤＳＣＨに対応するＨＡＲＱ−ＡＣＫの送信までのタイミング及び繰り返し因数の少なくとも１つに基づいて、スロットごとのＰＵＣＣＨ送信のためのコードブックを決定するステップと、
前記コードブックに基づくＨＡＲＱ−ＡＣＫを、ＰＵＣＣＨ繰り返しを適用して送信するステップと、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）では、ユーザ端末（ＵＥ：User  Equipment）は、ＵＬデータチャネル（例えば、ＰＵＳＣＨ：Physical  Uplink  Shared  Channel）及びＵＬ制御チャネル（例えば、ＰＵＣＣＨ：Physical  Uplink  Control  Channel）の少なくとも一方を用いて、上りリンク制御情報（ＵＣＩ：Uplink  Control  Information）を送信する。【０００５】
ＵＣＩは、例えば、下り共有チャネル（ＰＤＳＣＨ：Physical  Downlink  Shared  Channel）に対する再送制御情報（ＨＡＲＱ−ＡＣＫ（Hybrid  Automatic  Repeat  reQuest  Acknowledgement）、ＡＣＫ／ＮＡＣＫ、Ａ／Ｎなどともいう）、スケジューリングリクエスト（ＳＲ：Scheduling  Request）、チャネル状態情報（ＣＳＩ：Channel  State  Information）などを含んでもよい。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
ＬＴＥにおいては、１つのサービングセルを設定されるＵＥに対してのみ、ＰＵＣＣＨを用いたＨＡＲＱ−ＡＣＫの繰り返し送信を適用可能である。ＨＡＲＱ−ＡＣＫ繰り返しが有効（enabled）に設定された場合であっても、ＨＡＲＱ−ＡＣＫ繰り返しのためにはいくつかの制約を満たす必要がある。【０００８】
ＮＲでも、ＰＵＣＣＨ繰り返しの利用が検討されている。しかしながら、ＮＲのＰＵＣＣＨ繰り返しについては、ＬＴＥのような制約がまだ深く検討されていない。また、別々のＰＤＳＣＨに対するＨＡＲＱ−ＡＣＫ繰り返しが１つのスロットにおいて重複することが許容されるか否かなどについて、まだ検討が進んでいない。これらの内容についてＵＥ、基地局などのふるまいを明確化しなければ、適切にＵＣＩ送信を行うことができず、通信スループット、周波数利用効率などの劣化が生じるおそれがある。【０００９】
そこで、本開示は、ＰＵＣＣＨ繰り返しが用いられる場合であっても、ＵＣＩを適切に送信できるユーザ端末及び無線通信方法を提供することを目的の１つとする。
【課題を解決するための手段】
【００１０】
本開示の一態様に係るユーザ端末は、上りリンク制御チャネル（ＰＵＣＣＨ：Physical  Uplink  Control  Channel）繰り返し及び動的ＨＡＲＱ−ＡＣＫ（Hybrid  Automatic  Repeat  reQuest  Acknowledgement）コードブックを設定される場合に、トータル下りリンク割当てインデックス（Ｔ−ＤＡＩ：Total  Downlink  Assignment  Index）、カウンタ下りリンク割当てインデックス（Ｃ−ＤＡＩ：Counter  Downlink  Assignment  Index）、下りリンク共有チャネル（ＰＤＳＣＨ：Physical  Downlink  Shared  Channel）の受信から当該ＰＤＳＣＨに対応するＨＡＲＱ−ＡＣＫの送信までのタイミング及び繰り返し因数の少なくとも１つに基づいて、スロットごとのＰＵＣＣＨ送信のためのコードブックを決定する制御部と、前記コードブックに基づくＨＡＲＱ−ＡＣＫを、ＰＵＣＣＨ繰り返しを適用して送信する送信部と、を有することを特徴とする。
【発明の効果】
【００１１】
本開示の一態様によれば、ＰＵＣＣＨ繰り返しが用いられる場合であっても、ＵＣＩを適切に送信できる。
【図面の簡単な説明】
【００１２】
【図１】図１は、ＬＴＥにおけるＨＡＲＱ−ＡＣＫ繰り返しの制約の概念説明図である。
【図２】図２は、第１の実施形態において、ＰＵＣＣＨ繰り返しが１つのスロットにおいて重複することはないと想定する場合の一例を示す図である。
【図３】図３は、第１の実施形態において、ＰＵＣＣＨ繰り返しが１つのスロットにおいて重複することはないと想定する場合の別の一例を示す図である。
【図４】図４は、第２の実施形態におけるＰＵＣＣＨ繰り返しの一例を示す図である。
【図５】図５は、第３の実施形態におけるＰＵＣＣＨ繰り返しの１つ目の例を示す図である。
【図６】図６は、第３の実施形態におけるＰＵＣＣＨ繰り返しの２つ目の例を示す図である。
【図７】図７は、第３の実施形態におけるＰＵＣＣＨ繰り返しの３つ目の例を示す図である。
【図８】図８は、第３の実施形態におけるＰＵＣＣＨ繰り返しの４つ目の例を示す図である。
【図９】図９は、第３の実施形態におけるＰＵＣＣＨ繰り返しの５つ目の例を示す図である。
【図１０】図１０は、第４の実施形態におけるＰＵＣＣＨ繰り返しの一例を示す図である。
【図１１】図１１は、一実施形態に係る無線通信システムの概略構成の一例を示す図である。
【図１２】図１２は、一実施形態に係る基地局の全体構成の一例を示す図である。
【図１３】図１３は、一実施形態に係る基地局の機能構成の一例を示す図である。
【図１４】図１４は、一実施形態に係るユーザ端末の全体構成の一例を示す図である。
【図１５】図１５は、一実施形態に係るユーザ端末の機能構成の一例を示す図である。
【図１６】図１６は、一実施形態に係る基地局及びユーザ端末のハードウェア構成の一例を示す図である。
【発明を実施するための形態】
【００１３】
（ＬＴＥにおけるＨＡＲＱ−ＡＣＫ繰り返し）
ＬＴＥにおいては、１つのサービングセルを設定されるＵＥに対してのみ、ＰＵＣＣＨを用いたＨＡＲＱ−ＡＣＫの繰り返し送信を適用可能である。当該１つのサービングセルは、周波数分割複信（ＦＤＤ：Frequency  Division  Duplex）のセル及び時分割複信（ＴＤＤ：Time  Division  Duplex）のセルのどちらでもよい。なお、ＴＤＤのセルの場合は、ＨＡＲＱ−ＡＣＫ繰り返し送信のためにはＨＡＲＱ−ＡＣＫバンドリングが必要である。
【００１４】
本開示において、ＨＡＲＱ−ＡＣＫの繰り返し送信、ＨＡＲＱ−ＡＣＫ繰り返し（HARQ-ACK  repetition）、Ａ／Ｎ繰り返し、ＵＣＩ繰り返し、ＰＵＣＣＨ繰り返し、繰り返し（repetition）などは、互いに読み替えられてもよい。
【００１５】
ＨＡＲＱ−ＡＣＫ繰り返しは、上位レイヤシグナリング（ＲＲＣパラメータ「ackNackRepetition」）を用いてＵＥに設定可能である。当該ＲＲＣパラメータには、繰り返し因数（repetition  factor）が含まれる。繰り返し因数としては、２、４、６などが設定可能である。
【００１６】
なお、本開示において、繰り返し因数及び繰り返し数（repetition  number）は、互いに読み替えられてもよい。
【００１７】
ＨＡＲＱ−ＡＣＫ繰り返しが有効（enabled）に設定された場合であっても、ＨＡＲＱ−ＡＣＫ繰り返しのためには以下の制約がある：
・ＵＥは、サブフレームｎ−ＮＡＮＲｅｐ−３からｎ−５におけるＰＤＳＣＨ送信に対応するＨＡＲＱ−ＡＣＫ送信を、サブフレームｎにおいて繰り返していないこと、
・ＵＥは、サブフレームｎ−４において検出されたＰＤＳＣＨに対応するＨＡＲＱ−ＡＣＫ応答のみを、サブフレームｎからｎ＋ＮＡＮＲｅｐ−１において送信すること、
・ＵＥは、サブフレームｎからｎ＋ＮＡＮＲｅｐ−１においてその他の信号／チャネルを送信しないこと、
・ＵＥは、サブフレームｎ−３からｎ＋ＮＡＮＲｅｐ−５において検出されたＰＤＳＣＨ送信に対応するＨＡＲＱ−ＡＣＫ応答の繰り返し送信を行わないこと。
ここで、ＮＡＮＲｅｐは上述の繰り返し因数に相当する。
【００１８】
図１は、ＬＴＥにおけるＨＡＲＱ−ＡＣＫ繰り返しの制約の概念説明図である。本例では、サブフレームｎ−７からｎ−５ではＰＤＳＣＨが検出されず、サブフレームｎ−４からｎ−２においてＵＥに対するＰＤＳＣＨが検出されたと想定する。また、本例ではＮＡＮＲｅｐ＝４である。
【００１９】
ＵＥは、サブフレームｎ−７からｎ−５におけるＰＤＳＣＨ送信に対応するＨＡＲＱ−ＡＣＫ送信を、サブフレームｎにおいて繰り返していない（そもそも対応するサブフレームでＰＤＳＣＨが検出されなかったためＨＡＲＱ−ＡＣＫが送信されない）。
【００２０】
本例では、ＵＥは、サブフレームｎ−４において検出されたＰＤＳＣＨに対応するＨＡＲＱ−ＡＣＫ応答のみを、サブフレームｎからｎ＋３において繰り返し送信する。
【００２１】
この場合、ＵＥは、サブフレームｎからｎ＋３においてその他の信号／チャネルを送信できない。また、ＵＥは、サブフレームｎ−３からｎ−１において検出されたＰＤＳＣＨ送信に対応するＨＡＲＱ−ＡＣＫ応答の繰り返し送信を行うことができない。
【００２２】
（ＨＡＲＱ−ＡＣＫコードブック）
ＮＲでは、ＵＥが、ＨＡＲＱ−ＡＣＫコードブック（ＨＡＲＱ−ＡＣＫサイズと呼ばれてもよい）を準静的（semi-static）又は動的（dynamic）に決定することが検討されている。基地局は、ＵＥに対して、ＨＡＲＱ−ＡＣＫコードブックの決定方法を示す情報（例えば、ＨＡＲＱ−ＡＣＫコードブックが準静的か、動的かを示す情報）を、コンポーネントキャリア（ＣＣ）毎、セルグループ（ＣＧ）毎、ＰＵＣＣＨグループ（ＰＵＣＣＨ−ｇｒｏｕｐ）毎又はＵＥ毎に、上位レイヤシグナリングを用いて通知してもよい。
【００２３】
なお、ＨＡＲＱ−ＡＣＫコードブックは、ＰＤＳＣＨのＨＡＲＱ−ＡＣＫコードブック、ＨＡＲＱ−ＡＣＫコードブックサイズ、ＨＡＲＱ−ＡＣＫビット数などで読み替えられてもよい。
【００２４】
なお、本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２５】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２６】
ＵＥは、コンポーネントキャリア（ＣＣ）毎、セルグループ（ＣＧ）毎、ＰＵＣＣＨグループ（ＰＵＣＣＨ−ｇｒｏｕｐ）毎又はＵＥ毎に、決定したＨＡＲＱ−ＡＣＫコードブックに基づいて、ＨＡＲＱ−ＡＣＫ情報ビットを決定（生成）し、生成したＨＡＲＱ−ＡＣＫを、上り制御チャネル（ＰＵＣＣＨ：Physical  Uplink  Control  Channel）及び上り共有チャネル（ＰＵＳＣＨ：Physical  Uplink  Shared  Channel）の少なくとも一方を用いて送信してもよい。
【００２７】
ＵＥがＨＡＲＱ−ＡＣＫコードブックを準静的に決定すること（又は準静的なＨＡＲＱ−ＡＣＫコードブック）を設定される場合、当該ＨＡＲＱ−ＡＣＫコードブックの決定は、タイプ１ＨＡＲＱ−ＡＣＫコードブック決定と呼ばれてもよい。ＵＥがＨＡＲＱ−ＡＣＫコードブックを動的に決定すること（又は動的なＨＡＲＱ−ＡＣＫコードブック）を設定される場合、当該ＨＡＲＱ−ＡＣＫコードブックの決定は、タイプ２ＨＡＲＱ−ＡＣＫコードブック決定と呼ばれてもよい。
【００２８】
つまり、タイプ１ＨＡＲＱ−ＡＣＫコードブック及び準静的ＨＡＲＱ−ＡＣＫコードブックは、互いに読み替えられてもよい。また、タイプ２ＨＡＲＱ−ＡＣＫコードブック及び動的ＨＡＲＱ−ＡＣＫコードブックは、互いに読み替えられてもよい。
【００２９】
ＵＥは、タイプ１ＨＡＲＱ−ＡＣＫコードブック決定においては、上位レイヤシグナリングで設定される構成に基づいてＨＡＲＱ−ＡＣＫのビット数などを決定してもよい。当該設定される構成は、例えば、ＨＡＲＱ−ＡＣＫのフィードバックタイミングに関連付けられる範囲にわたってスケジューリングされるＤＬ送信（例えば、ＰＤＳＣＨ）の数（例えば、最大数、最小数など）を含んでもよい。
【００３０】
当該範囲は、ＨＡＲＱ−ＡＣＫバンドリングウィンドウ（bundling  window）、ＨＡＲＱ−ＡＣＫフィードバックウィンドウ、バンドリングウィンドウ、フィードバックウィンドウなどとも呼ばれる。バンドリングウィンドウは、空間（space）、時間（time）及び周波数（frequency）の少なくとも１つの範囲に該当してもよい。
【００３１】
一方で、ＵＥは、タイプ２ＨＡＲＱ−ＡＣＫコードブック決定においては、下り制御情報（例えば、DL  assignment）に含まれるＤＬ割当てインデックス（ＤＡＩ：Downlink  Assignment  Index）フィールドのビット列に基づいてＨＡＲＱ−ＡＣＫビット数などを決定してもよい。
【００３２】
なお、ＤＡＩフィールドは、トータルＤＡＩ（Ｔ−ＤＡＩ：Total  DAI）及びカウンタＤＡＩ（Ｃ−ＤＡＩ：Counter  DAI）の一方又は両方を指示してもよい。Ｔ−ＤＡＩは、スケジュールされるＤＬデータ（ＰＤＳＣＨ）の総数に関する情報であって、ＵＥがフィードバックするＨＡＲＱ−ＡＣＫの総ビット数（又は、コードブックサイズ）に相当してもよい。
【００３３】
Ｃ−ＤＡＩは、スケジュールされるＤＬデータ（ＰＤＳＣＨ）の累積値を示す。例えば、ある時間単位（スロット又はサブフレーム）内で検出される１又は複数のＣＣのＤＣＩに、ＣＣインデックス順にナンバリングしたＣ−ＤＡＩがそれぞれ含まれてもよい。また、複数の時間単位にわたってスケジューリングされるＰＤＳＣＨに対するＨＡＲＱ−ＡＣＫをまとめてフィードバックする場合（例えば、バンドリングウィンドウが複数スロットで構成される場合）、当該複数の時間単位にわたってＣ−ＤＡＩを適用してもよい。
【００３４】
（ＰＤＳＣＨ−ｔｏ−ＡＣＫタイミング）
ＮＲにおいて、ＵＥは、ＰＤＳＣＨの受信から当該ＰＤＳＣＨに対応するＨＡＲＱ−ＡＣＫの送信までのタイミング（ＰＤＳＣＨ−ｔｏ−ＡＣＫタイミング、「Ｋ１」などと呼ばれてもよい）を、当該ＰＤＳＣＨをスケジューリングするＤＣＩ（ＤＬ  ＤＣＩ、ＤＬアサインメント、ＤＣＩフォーマット１＿０、ＤＣＩフォーマット１＿１などと呼ばれてもよい）に基づいて決定する。
【００３５】
例えば、ＵＥは、ＤＣＩフォーマット１＿０を検出すると、当該ＤＣＩに含まれる「ＰＤＳＣＨからＨＡＲＱへのタイミング指示フィールド（PDSCH-to-HARQ-timing-indicator  field）」に基づいて、当該ＰＤＳＣＨの最終シンボルが含まれるスロットｎを基準としてスロットｎ＋ｋ（例えば、ｋは１から８までの整数）において当該ＰＤＳＣＨに対応するＨＡＲＱ−ＡＣＫを送信する。
【００３６】
ＵＥは、ＤＣＩフォーマット１＿１を検出すると、当該ＤＣＩに含まれる「ＰＤＳＣＨからＨＡＲＱへのタイミング指示フィールド」に基づいて、当該ＰＤＳＣＨの最終シンボルが含まれるスロットｎを基準としてスロットｎ＋ｋにおいて当該ＰＤＳＣＨに対応するＨＡＲＱ−ＡＣＫを送信する。ここでのｋと上記タイミング指示フィールドとの対応関係は、上位レイヤシグナリングによってＰＵＣＣＨ（又はＰＵＣＣＨグループ、セルグループ）ごとに、ＵＥに設定されてもよい。
【００３７】
例えば、上記対応関係は、ＲＲＣシグナリングのＰＵＣＣＨ設定情報要素（PUCCH  Config  information  element）に含まれるパラメータ（dl-DataToUL-ACK、Slot-timing-value-K1などと呼ばれてもよい）によって設定されてもよい。例えば、Ｋ１によって、ＰＤＳＣＨ−ｔｏ−ＡＣＫタイミング指示の複数の候補値が上位レイヤシグナリングによって設定され、ＰＤＳＣＨのスケジューリングのためのＤＣＩによって、複数の候補値の１つが指示されてもよい。
【００３８】
Ｋ１は、ＰＵＣＣＨグループ（又はセルグループ）ごとに設定されてもよい。Ｋ１は、ＨＡＲＱ−ＡＣＫを送信するチャネル（例えば、ＰＵＣＣＨ又はＰＵＳＣＨ）のニューメロロジー（例えば、ＳＣＳ）に基づいて判断される時間であってもよい。
【００３９】
（ＮＲにおけるＨＡＲＱ−ＡＣＫ繰り返し）
ところで、ＮＲでは、送信期間が４シンボル以上であるＰＵＣＣＨフォーマット１、３及び４に関して、上位レイヤシグナリングによって、ＰＵＣＣＨ繰り返しが設定可能である。ＰＵＣＣＨフォーマット１、３及び４の全てに対して、繰り返し因数は共通に設定されてもよい。
【００４０】
ＵＥは、繰り返し数分のスロットの最初のスロットにおいてＰＵＣＣＨで送信するＵＣＩを、当該繰り返し数分の残りのスロットにおいても繰り返してもよい。繰り返しが適用される各スロットにおいて、ＰＵＣＣＨ用のシンボル数及び開始シンボルは同じであってもよい。なお、ＰＵＣＣＨ繰り返しは、連続するスロットで行われてもよいし、非連続のスロットで行われてもよい。
【００４１】
しかしながら、ＮＲのＰＵＣＣＨ繰り返しについては、ＬＴＥのような制約がまだ深く検討されていない。また、別々のＰＤＳＣＨに対するＨＡＲＱ−ＡＣＫ繰り返しが１つのスロットにおいて重複することが許容（又は想定）されるか否かなどについて、まだ検討が進んでいない。これらの内容についてＵＥのふるまいを明確化しなければ、適切にＵＣＩ（ＨＡＲＱ−ＡＣＫ）送信を行うことができず、通信スループット、周波数利用効率などの劣化が生じるおそれがある。
【００４２】
そこで、本発明者らは、ＮＲにおいてＰＵＣＣＨ繰り返しが用いられる場合であっても、ＵＣＩを適切に送信するための設定と、ＵＥ及び基地局の動作と、を着想した。
【００４３】
以下、本開示に係る実施形態について、図面を参照して詳細に説明する。各実施形態に係る無線通信方法は、それぞれ単独で適用されてもよいし、組み合わせて適用されてもよい。
【００４４】
なお、以下の実施形態において、ＰＵＣＣＨ及びＰＵＣＣＨ繰り返しは互いに読み替えられてもよい。
【００４５】
（無線通信方法）
＜第１の実施形態＞
第１の実施形態では、ＰＵＣＣＨ繰り返しの制約について説明する。第１の実施形態は２つに大別できる。１つは、ＰＵＣＣＨ繰り返しには制約はない（又は制約が比較的少ない）というケースに対応し（実施形態１．１）、もう１つは、ＰＵＣＣＨ繰り返しには制約はある（又は制約が比較的多い）というケースに対応する（実施形態１．２）。
【００４６】
［実施形態１．１］
実施形態１．１において、ＰＵＣＣＨ繰り返しは、任意のＵＣＩタイプに利用可能であってもよい。また、ＰＵＣＣＨ繰り返しは、ＵＣＩが周期的に送信されるケース（例えば、周期的なＣＳＩ（Ｐ−ＣＳＩ：Periodic  CSI）報告）、非周期的に送信されるケース（例えば、非周期的なＣＳＩ（Ａ−ＣＳＩ：Aperiodic  CSI）報告）及びセミパーシステントなリソースで送信されるケース（例えば、セミパーシステントなＣＳＩ（ＳＰ−ＣＳＩ：Semi-Persistent  CSI）報告）のいずれにおいても利用可能であってもよい。
【００４７】
なお、ＵＣＩタイプは、ＨＡＲＱ−ＡＣＫ、ＳＲ（ポジティブＳＲ、ネガティブＳＲ）、ＣＳＩ（なお、ＣＳＩは、ＣＳＩパート１、ＣＳＩパート２などを含んでもよい）のいずれか又はこれらの組み合わせを意味してもよい。
【００４８】
なお、ＣＳＩは、チャネル品質指標（ＣＱＩ：Channel  Quality  Indicator）、プリコーディング行列指標（ＰＭＩ：Precoding  Matrix  Indicator）、ＣＳＩ−ＲＳリソース指標（ＣＲＩ：CSI-RS  Resource  Indicator）、ＳＳ／ＰＢＣＨブロックリソース指標（ＳＳＢＲＩ：SS/PBCH  Block  Indicator）、レイヤ指標（ＬＩ：Layer  Indicator）、ランク指標（ＲＩ：Rank  Indicator）、Ｌ１−ＲＳＲＰ（レイヤ１における参照信号受信電力（Layer  1  Reference  Signal  Received  Power））、Ｌ１−ＲＳＲＱ（Reference  Signal  Received  Quality）、Ｌ１−ＳＩＮＲ（Signal  to  Interference  plus  Noise  Ratio）、Ｌ１−ＳＮＲ（Signal  to  Noise  Ratio）などの少なくとも１つを含んでもよい。
【００４９】
ＣＳＩパート１は、相対的にビット数の少ない情報（例えば、ＲＩ、広帯域ＣＱＩ（wideband  CQI）など）を含んでもよい。ＣＳＩパート２は、ＣＳＩパート１に基づいて定まる情報などの、相対的にビット数の多い情報（例えば、部分帯域ＣＱＩ（subband  CQI）、ＰＭＩなど）を含んでもよい。
【００５０】
ＵＥは、ある制御単位においてＰＵＣＣＨ繰り返しが設定された場合、当該制御単位内の１つ又は複数（例えば、全部）のコンポーネントキャリア（ＣＣ：Component  Carrier）について、ＵＣＩ（例えば、ＨＡＲＱ−ＡＣＫ、ＳＲ、ＣＳＩのいずれか又はこれらの組み合わせ）をＰＵＣＣＨにおいて繰り返し送信してもよい。
【００５１】
なお、本開示において、制御単位は、例えば、ＣＣ、ＣＣグループ、セルグループ、ＰＵＣＣＨグループ、ＭＡＣエンティティ、周波数レンジ（ＦＲ：Frequency  Range）、バンド、ＢＷＰ（Bandwidth  Part）などのいずれか又はこれらの組み合わせであってもよい。上記制御単位は、単にグループと呼ばれてもよい。
【００５２】
ＵＥは、ＰＵＣＣＨ繰り返しが設定される場合には、複数のＰＵＣＣＨ繰り返しが１つのスロット内で重複することはないと想定してもよい。例えば、ＵＥは、ＰＵＣＣＨ繰り返しが設定される場合には、当該ＰＵＣＣＨ繰り返しの継続時間（duration）より短い周期を有するＤＬ  ＳＰＳ（Downlink  Semi-Persistent  Scheduling）、ＳＲ、Ｐ−ＣＳＩ報告及びＳＰ−ＣＳＩ報告が設定されることは期待しなくてもよい。ＰＵＣＣＨ繰り返しの継続時間は、繰り返し因数分のスロットであってもよい。
【００５３】
図２は、第１の実施形態において、ＰＵＣＣＨ繰り返しが１つのスロットにおいて重複することはないと想定する場合の一例を示す図である。本例では、ＵＥは、２スロットのＰＵＣＣＨ繰り返し（繰り返し因数Ｋ＝２）を設定されている。この場合、ＵＥは、２スロットより短い周期を有するＤＬ  ＳＰＳ、ＳＲ、Ｐ−ＣＳＩ報告及びＳＰ−ＣＳＩ報告が設定されることはないと想定してもよい。本例の場合、例えば、ＵＥに設定されるＤＬ  ＳＰＳ、ＳＲ、Ｐ−ＣＳＩ報告及びＳＰ−ＣＳＩ報告の周期は、４スロットであると想定する。
【００５４】
例えば、ＵＥが、ＤＬ  ＳＰＳに対するＨＡＲＱ−ＡＣＫを、ＰＵＣＣＨを用いて送信する場合、ＰＵＣＣＨ繰り返し送信に用いるスロットは、＃４ｎ及び＃４ｎ＋１（ｎ＝０、１、…）なので、複数のＰＵＣＣＨ繰り返しは同じスロットで重複しない。
【００５５】
一方で、ＵＥは、ＰＵＣＣＨ繰り返しが設定される場合であって、当該ＰＵＣＣＨ繰り返しの継続時間より短い周期を有するＤＬ  ＳＰＳ、ＳＲ、Ｐ−ＣＳＩ報告及びＳＰ−ＣＳＩ報告の少なくとも１つが設定された場合には、前の（previous）ＰＵＣＣＨ繰り返しを、最新の（latest）別のＰＵＣＣＨ繰り返しで上書き（override）してもよい。
【００５６】
図３は、第１の実施形態において、ＰＵＣＣＨ繰り返しが１つのスロットにおいて重複することはないと想定する場合の別の一例を示す図である。本例では、ＵＥは、８スロットのＰＵＣＣＨ繰り返し（繰り返し因数Ｋ＝８）を設定されている。また、ＵＥに設定されるＤＬ  ＳＰＳ、ＳＲ、Ｐ−ＣＳＩ報告及びＳＰ−ＣＳＩ報告の少なくとも１つの周期は、４スロットであると想定する。
【００５７】
この場合、例えばスロット＃０から開始した第１のＰＵＣＣＨ繰り返し（スロット＃０−＃７のＰＵＣＣＨ繰り返し）は、スロット＃４から開始する第２のＰＵＣＣＨ繰り返し（スロット＃４−＃１１のＰＵＣＣＨ繰り返し）と重複する。ＵＥは、スロット＃４から＃７においては、最新のＰＵＣＣＨ繰り返しであるスロット＃４からのＰＵＣＣＨ繰り返しを送信してもよい。
【００５８】
つまり、ＵＥは、第１のＰＵＣＣＨ繰り返しの途中で第２のＰＵＣＣＨ繰り返しが開始する場合には、先に送信を開始していた第１のＰＵＣＣＨ繰り返しを中断し、第２のＰＵＣＣＨ繰り返しを行ってもよい。
【００５９】
なお、ＰＵＣＣＨ繰り返しは、１キャリア用に用いられてもよいし、複数キャリア用に用いられてもよい。また、ＰＵＣＣＨ繰り返しは、ＦＤＤキャリア及びＴＤＤキャリアのいずれであっても用いられてもよい。
【００６０】
ＰＵＣＣＨ繰り返しは、ある要求（例えば、遅延、信頼性）を有する特定のデータタイプのために用いられてもよい。当該特定のデータタイプは、例えば、データのＣＲＣがマスキングされるＲＮＴＩ（Radio  Network  Temporary  Identifier）によって識別されてもよいし、データのベアラ、ＱＣＩ（Quality  of  service  Class  Identifier）などによって識別されてもよい。
【００６１】
［実施形態１．２］
実施形態１．２において、ＰＵＣＣＨ繰り返しは、ＨＡＲＱ−ＡＣＫ及びＳＲの少なくとも一方のために用いられ、他のＵＣＩタイプには用いられないと想定されてもよい。
【００６２】
例えば、ＰＵＣＣＨ繰り返しを設定されたＵＥは、Ｋ回のＰＵＣＣＨ繰り返しにわたってＨＡＲＱ−ＡＣＫを送信してもよい。この場合、ＵＥは、Ｋ回のＰＵＣＣＨ繰り返しのＨＡＲＱ−ＡＣＫが、他のＵＣＩタイプ（例えば、ＳＲ、ＣＳＩ）と衝突することを期待しなくてもよい。
【００６３】
また、ＵＥは、他のＵＣＩタイプの送信期間がＫ回のＰＵＣＣＨ繰り返しのＨＡＲＱ−ＡＣＫと衝突する場合には、当該他のＵＣＩタイプをドロップしてもよいし、送信を保留（pending）してもよい。
【００６４】
ＰＵＣＣＨ繰り返しを設定されたＵＥは、Ｋ回のＰＵＣＣＨ繰り返しにわたってＨＡＲＱ−ＡＣＫ及びＳＲの少なくとも一方を送信してもよい。この場合、ＵＥは、ＳＲ期間（SR  occasion）が、Ｋ回のＰＵＣＣＨ繰り返しのＨＡＲＱ−ＡＣＫの最初の繰り返し（最初のスロット）とのみ衝突できると想定してもよい。
【００６５】
また、ＵＥは、Ｋ回のＰＵＣＣＨ繰り返しが他のＵＣＩタイプ（ＣＳＩなど）と衝突すすることを期待しなくてもよい。ＵＥは、他のＵＣＩタイプ（ＣＳＩなど）の送信期間がＫ回のＰＵＣＣＨ繰り返しのＨＡＲＱ−ＡＣＫと衝突する場合には、当該他のＵＣＩタイプをドロップしてもよいし、送信を保留してもよい。
【００６６】
ＰＵＣＣＨ繰り返しは、以下の少なくとも１つの条件に限定して用いられてもよい：
・非キャリアアグリゲーション（ＵＥにキャリアアグリゲーションが設定されていない）、
・Ｘ個のＣＣまでのキャリアアグリゲーション（例えば、Ｘ＝２）、
・ＦＤＤのみ、
・ＦＤＤ＋特定のＵＬ−ＤＬ構成（UL-DL  configuration）のＴＤＤ（例えば、ＵＬ／ＤＬ比が特定の範囲（０．４以上など））、
・非コードブロックグループ（ＣＢＧ：Code  Block  Group）ベース再送（Non-CBG  re-transmission）、
・ＰＵＣＣＨ又は、ＰＵＣＣＨ及びＰＵＳＣＨ両方のＨＡＲＱ−ＡＣＫバンドリングあり、
・少なくともＰＵＣＣＨのＨＡＲＱ−ＡＣＫバンドリングなし。
【００６７】
以上説明した第１の実施形態によれば、ＰＵＣＣＨ繰り返しが適用される条件、制約などについて適切にＵＥに設定できる。また、ＵＥがＰＵＣＣＨ繰り返しについて適当な想定に基づいて処理を行うことができる。
【００６８】
＜第２の実施形態＞
第２の実施形態では、ＰＵＣＣＨ繰り返しを設定されたＵＥは、１つの制御単位（例えば、ＣＧ、ＰＵＣＣＨグループ）内のサービングセルにおいて、１つ又は複数のスロットで異なるＰＤＳＣＨのためのＨＡＲＱ−ＡＣＫが部分的に重複するようなＰＤＳＣＨをスケジュールされることを期待しなくてもよい。ＵＥは、このようなＰＤＳＣＨのスケジュールの制限を基地局のスケジューラが実施すると想定してもよい。
【００６９】
ＵＥは、一旦１つの制御単位（例えば、ＣＧ、ＰＵＣＣＨグループ）における繰り返しのためのＰＵＣＣＨリソースを決定した後は、同じ制御単位内のサービングセルにおいて、１つ又は複数のスロットで複数のＰＵＣＣＨを重複させてしまうＰＤＳＣＨをスケジュールするＰＤＣＣＨ（ＤＣＩ）を破棄（discard）又は無視（ignore）してもよい。
【００７０】
ＵＥは、一旦１つの制御単位における繰り返しのためのＰＵＣＣＨリソースを決定した後は、同じ制御単位内のサービングセルにおいて、１つ又は複数のスロットで複数のＰＵＣＣＨ繰り返しを重複させてしまうＰＤＳＣＨのスケジュールは許容されないと想定してもよい（そのようなスケジュールを想定しなくてもよい）。
【００７１】
図４は、第２の実施形態におけるＰＵＣＣＨ繰り返しの一例を示す図である。本例では、ＵＥは、２つのＤＬ  ＣＣ（ＤＬ  ＣＣ＃１、＃２）を含む制御単位（ＣＧ、ＰＵＣＣＨグループ）を設定されており、これらのＤＬ  ＣＣにおけるＰＤＳＣＨに応じて、所定のＵＬ  ＣＣにおいてＰＵＣＣＨ（ＨＡＲＱ−ＡＣＫ）繰り返しを送信することを想定する。なお、ＤＬ  ＣＣ＃１、ＤＬ  ＣＣ＃２及びＵＬ  ＣＣの少なくとも２つのＣＣは、同じＣＣに含まれてもよい。
【００７２】
また、ＵＥは、ＤＬ  ＣＣ＃１においてＤＣＩ＃１及び＃３を受信し、ＤＬ  ＣＣ＃２においてＤＣＩ＃２及び＃４を受信する。ＵＥは、あるスロットにおいてＤＣＩ＃１を検出し、その次のスロットにおいてＤＣＩ＃２を検出し、さらに次のスロットにおいてＤＣＩ＃３及び＃４を検出する。
【００７３】
ＤＣＩ＃１−＃４はいずれも、ＰＤＳＣＨをスケジューリングするＤＣＩであってもよい。ＵＥは、ＰＵＣＣＨ繰り返しの繰り返し因数Ｋの値として、４を設定されている。
【００７４】
ＤＣＩ＃１は、ＵＬ  ＣＣのスロット＃ｎから＃ｎ＋３のＰＵＣＣＨ繰り返しを指示する。例えば、ＤＣＩ＃１は、ＤＣＩ＃１によってスケジュールが指示されるＰＤＳＣＨに対するＨＡＲＱ−ＡＣＫの送信タイミングが＃ｎから開始することを指示してもよい。
【００７５】
ＤＣＩ＃２は、ＵＬ  ＣＣのスロット＃ｎ＋１から＃ｎ＋４のＰＵＣＣＨ繰り返しを指示する。ＤＣＩ＃３及び＃４は、ＵＬ  ＣＣのスロット＃ｎ＋２から＃ｎ＋５のＰＵＣＣＨ繰り返しを指示する。
【００７６】
なお、特に断りがない限り、以降の図においてもＣＣ構成、ＰＵＣＣＨ繰り返しの設定及び受信するＤＣＩが同じケースを説明する。しかしながら、本開示は、このケースへの適用に限定されない。
【００７７】
さて、図４の例では、ＵＥは、ＤＣＩ＃１に基づいて、スロット＃ｎからＰＵＣＣＨ繰り返しを開始する。ＤＣＩ＃２−＃４に基づくＰＵＣＣＨ繰り返しはＤＣＩ＃１に基づくＰＵＣＣＨ繰り返しと重複してしまうため、ＵＥは、ＤＣＩ＃２−＃４を破棄する。
【００７８】
以上説明した第２の実施形態によれば、ＰＵＣＣＨ繰り返しの重複を抑制し、ＵＥの処理の複雑化を抑制できる。
【００７９】
＜第３の実施形態＞
第３の実施形態では、ＰＵＣＣＨ繰り返しを設定されたＵＥは、１つの制御単位（例えば、ＣＧ、ＰＵＣＣＨグループ）内のサービングセルにおいて、１つ又は複数のスロットで異なるＰＤＳＣＨのためのＨＡＲＱ−ＡＣＫが部分的に重複するようなＰＤＳＣＨをスケジュールされてもよい。
【００８０】
第３の実施形態では、ＵＥは、動的ＨＡＲＱ−ＡＣＫコードブックを設定されていると想定する。
【００８１】
ＵＥは、動的ＨＡＲＱ−ＡＣＫコードブックに関して、各スロットの各ＰＵＣＣＨ送信のためのコードブックを、少なくとも以下の１つに基づいて決定してもよい：
（１）Ｃ−ＤＡＩ、
（２）Ｔ−ＤＡＩ、
（３）Ｋ１、
（４）ＰＵＣＣＨ繰り返し因数。
【００８２】
ここで、Ｃ−ＤＡＩ、Ｔ−ＤＡＩ及びＫ１は、例えば、ＤＣＩによって指定されてもよい。ＰＵＣＣＨ繰り返し因数は、例えば、ＲＲＣによって設定されてもよい。
【００８３】
ＵＥは、各繰り返しにおいてＨＡＲＱ−ＡＣＫがドロップされないと想定してもよい。言い換えると、ＵＥは、ＰＵＣＣＨ繰り返し中に、コードブックサイズ及びＰＵＣＣＨフォーマットの少なくとも一方が変化すると想定してもよい。この場合、ＵＥは、各ＤＣＩ（ＰＤＳＣＨ）に対応するＨＡＲＱ−ＡＣＫを、繰り返し因数の数だけしっかり送信できる。
【００８４】
図５は、第３の実施形態におけるＰＵＣＣＨ繰り返しの１つ目の例を示す図である。本例においては、ＰＵＣＣＨ繰り返し中の各スロットにおいて、コードブックサイズ（ＤＣＩに対応するＨＡＲＱ−ＡＣＫビット数）が異なることが許容（又は想定）されている。
【００８５】
ＵＥは、スロット＃ｎから＃ｎ＋５において、それぞれ以下のＤＣＩに対応する（より具体的には、以下のＤＣＩによってスケジュールされるＰＤＳＣＨに対応する）ＨＡＲＱ−ＡＣＫを送信してもよい：
スロット＃ｎ：ＤＣＩ＃１
スロット＃ｎ＋１：ＤＣＩ＃１、＃２
スロット＃ｎ＋２：ＤＣＩ＃１、＃２、＃３、＃４
スロット＃ｎ＋３：ＤＣＩ＃１、＃２、＃３、＃４
スロット＃ｎ＋４：ＤＣＩ＃２、＃３、＃４
スロット＃ｎ＋５：ＤＣＩ＃３、＃４
【００８６】
ＵＥは、１つ又は複数の繰り返しにおいてＨＡＲＱ−ＡＣＫがドロップされ得ると想定してもよい。言い換えると、ＰＵＣＣＨ繰り返し中にコードブックサイズ及びＰＵＣＣＨフォーマットが変化しない（維持される）ことを、ＵＥは想定してもよい。
【００８７】
ＵＥは、動的ＨＡＲＱ−ＡＣＫコードブックに関して、ＰＵＣＣＨ繰り返し内のあるスロットにおいて、より新しい（later）ＰＤＳＣＨのためのＡ／Ｎが、前の（previous）ＰＤＳＣＨのためのＡ／Ｎを上書き（override）するように制御してもよい。つまり、複数のＰＵＣＣＨ繰り返しが重複する場合、ＵＥは、より新しいＰＵＣＣＨ繰り返しのためのＡ／Ｎを送信してもよい。
【００８８】
図６は、第３の実施形態におけるＰＵＣＣＨ繰り返しの２つ目の例を示す図である。本例においては、ＰＵＣＣＨ繰り返し中の各スロットにおいて、コードブックサイズ（ＤＣＩに対応するＨＡＲＱ−ＡＣＫビット数）が同じに維持されている。
【００８９】
ＵＥは、スロット＃ｎから＃ｎ＋５において、それぞれ以下のＤＣＩに対応するＨＡＲＱ−ＡＣＫを送信してもよい（パターンＡ）：
スロット＃ｎ：ＤＣＩ＃１
スロット＃ｎ＋１：ＤＣＩ＃２
スロット＃ｎ＋２：ＤＣＩ＃３
スロット＃ｎ＋３：ＤＣＩ＃４
スロット＃ｎ＋４：ＤＣＩ＃３
スロット＃ｎ＋５：ＤＣＩ＃４
【００９０】
ＵＥは、スロット＃ｎから＃ｎ＋５において、それぞれ以下のＤＣＩに対応するＨＡＲＱ−ＡＣＫを送信してもよい（パターンＢ）：
スロット＃ｎ：ＤＣＩ＃１
スロット＃ｎ＋１：ＤＣＩ＃２
スロット＃ｎ＋２：ＤＣＩ＃３
スロット＃ｎ＋３：ＤＣＩ＃３
スロット＃ｎ＋４：ＤＣＩ＃４
スロット＃ｎ＋５：ＤＣＩ＃４
【００９１】
ＵＥは、スロット＃ｎでは、ＤＣＩ＃１のＡ／Ｎを送信する。ＵＥは、スロット＃ｎ＋１では、既に送信したＤＣＩ＃１のＡ／Ｎはドロップし、より新しいＤＣＩ＃２のＡ／Ｎを送信する。
【００９２】
ＵＥは、スロット＃ｎ＋２では、既に送信したＤＣＩ＃１及び＃２のＡ／Ｎはドロップし、より新しいＤＣＩ＃３のＡ／Ｎを送信する。なお、スロット＃ｎ＋２のように、より新しいＤＣＩが複数存在する（ＤＣＩ＃３及び＃４）場合には、ＵＥは、所定のルールに基づいて決定したＤＣＩのＡ／Ｎを送信してもよい。例えば、当該所定のルールは、ＤＣＩを受信したセルインデックスの値が小さい方のＤＣＩを優先的に選ぶ、などであってもよい。当該所定のルールは、上位レイヤシグナリングによって設定されてもよいし、仕様によって定められてもよい。
【００９３】
パターンＡは、できるだけ早期にまだ送信していないＤＣＩに対するＡ／Ｎを送信する方針に対応する。このため、ＵＥは、パターンＡの例ではスロット＃ｎ＋４において、既に送信したＤＣＩ＃１−＃３のＡ／Ｎはドロップし、まだ送信していないＤＣＩ＃４のＡ／Ｎを送信する。
【００９４】
パターンＡのスロット＃ｎ＋４では、既にＤＣＩ＃１−＃４のＡ／Ｎを全て一回は送信しているため、このうちで一番新しいＤＣＩ＃３又は＃４のＡ／Ｎを送信する。パターンＡのスロット＃ｎ＋５では、ＤＣＩ＃３又は＃４のうち、スロット＃ｎ＋４で送信しなかった方のＡ／Ｎを送信してもよい。
【００９５】
パターンＢは、新しいＤＣＩが複数存在する場合には、１つのＤＣＩのＡ／Ｎをいくつかのスロットで先行して送信し、その後他のＤＣＩのＡ／Ｎを送信する方針に対応する。例えば、未送信のより新しいＤＣＩのＡ／ＮがＸ個存在する場合、ＵＥは、各ＤＣＩを連続してＫ／Ｘ（割り切れない場合は切り上げ、切り捨て又は四捨五入）回ずつ繰り返し送信してもよい。
【００９６】
図６の例では、Ｋ／Ｘ＝２である。このため、パターンＢでは、スロット＃ｎ＋２及び＃ｎ＋３でＤＣＩ＃３のＡ／Ｎが送信され、スロット＃ｎ＋４及び＃ｎ＋５でＤＣＩ＃４のＡ／Ｎが送信される。
【００９７】
図７は、第３の実施形態におけるＰＵＣＣＨ繰り返しの３つ目の例を示す図である。本例においては、ＰＵＣＣＨ繰り返し中の各スロットにおいて、コードブックサイズ（ＤＣＩに対応するＨＡＲＱ−ＡＣＫビット数）が同じに維持されている。本例は、図４の例と比べて、ＵＥがＤＣＩ＃４を検出しない点が異なる。
【００９８】
ＵＥは、スロット＃ｎから＃ｎ＋５において、それぞれ以下のＤＣＩに対応するＨＡＲＱ−ＡＣＫを送信してもよい（パターンＣ）：
スロット＃ｎ：ＤＣＩ＃１
スロット＃ｎ＋１：ＤＣＩ＃２
スロット＃ｎ＋２：ＤＣＩ＃３
スロット＃ｎ＋３：ＤＣＩ＃３
スロット＃ｎ＋４：ＤＣＩ＃３
スロット＃ｎ＋５：ＤＣＩ＃３
【００９９】
ＵＥは、スロット＃ｎから＃ｎ＋５において、それぞれ以下のＤＣＩに対応するＨＡＲＱ−ＡＣＫを送信してもよい（パターンＤ）：
スロット＃ｎ：ＤＣＩ＃１
スロット＃ｎ＋１：ＤＣＩ＃２
スロット＃ｎ＋２：ＤＣＩ＃３
スロット＃ｎ＋３：ＤＣＩ＃１
スロット＃ｎ＋４：ＤＣＩ＃２
スロット＃ｎ＋５：ＤＣＩ＃３
【０１００】
スロット＃ｎ−＃ｎ＋３については、図６の例と同様なため、重複した説明は行わない。
【０１０１】
パターンＣは、複数のＰＵＣＣＨ繰り返しのＡ／Ｎを少なくとも１回ずつ送信し終わった（より新しいＰＤＳＣＨのためのＰＵＣＣＨ繰り返しの初回送信が終わった、又は、より新しいＤＣＩが存在しなくなった、などで読み替えられてもよい）場合、ＵＥは、最も新しいＤＣＩのＡ／Ｎの送信を継続する方針に対応する。このため、ＵＥは、パターンＣの例ではスロット＃ｎ＋４−＃ｎ＋６において、既に送信したＤＣＩ＃１−＃３のＡ／Ｎのうち、最も新しいＤＣＩ＃３のＡ／Ｎを送信する。
【０１０２】
パターンＤは、複数のＰＵＣＣＨ繰り返しのＡ／Ｎを少なくとも１回ずつ送信し終わった場合、ＵＥは、ラウンドロビン方式でＡ／Ｎの送信を行う方針に対応する。このため、ＵＥは、パターンＤの例ではスロット＃ｎ＋４−＃ｎ＋６において、既に送信したＤＣＩ＃１−＃３のＡ／Ｎを順番にローテーションで送信する。
【０１０３】
なお、ＵＥは、別の方針に基づいて送信するＡ／Ｎを決定してもよい。例えば、重複するＡ／Ｎを一通り送信し終わった場合、ＵＥは、特定のサービスに対応するＤＣＩ（ＰＤＳＣＨ）のＡ／Ｎを継続して送信してもよい。当該特定のサービスは、例えば、ｅＭＢＢ（enhanced  Mobile  Broad  Band）、ｍＭＴＣ（massive  Machine  Type  Communication）、ＩｏＴ（Internet  of  Things）、ＵＲＬＬＣ（Ultra  Reliable  and  Low  Latency  Communications）などの少なくとも１つであってもよい。サービスは、ユースケース、通信タイプなどと呼ばれてもよい。
【０１０４】
なお、特定のサービスに対応するＤＣＩ（ＰＤＳＣＨ）は、特定のＲＮＴＩを用いてＣＲＣ（Cyclic  Redundancy  Check）がスクランブルされたＤＣＩ（によってスケジュールされるＰＤＳＣＨ）に該当してもよい。
【０１０５】
特定のサービスに対応するＰＤＳＣＨは、特定のＭＣＳ（Modulation  and  Coding  Scheme）テーブルに基づいて受信処理（復調、復号など）されるＰＤＳＣＨに該当してもよい。当該特定のＭＣＳテーブルは、新しい６４ＱＡＭ（Quadrature  Amplitude  Modulation）用のＭＣＳテーブルであってもよく、当該テーブルをＰＤＳＣＨのために用いることは、上位レイヤシグナリングによって（例えば、ＲＲＣパラメータ「mcs-Table」が「qam64LowSE」に設定されることによって）ＵＥに設定されてもよい。
【０１０６】
ＵＥは、１つ又は複数の繰り返しにおいてＨＡＲＱ−ＡＣＫがバンドルされ得ると想定してもよい。言い換えると、ＵＥは、ＰＵＣＣＨ繰り返し中に、コードブックサイズ及びＰＵＣＣＨフォーマットを維持するためにＨＡＲＱ−ＡＣＫバンドリングを適用してもよい。
【０１０７】
図８は、第３の実施形態におけるＰＵＣＣＨ繰り返しの４つ目の例を示す図である。本例においては、ＰＵＣＣＨ繰り返し中の各スロットにおいて、コードブックサイズ（ＤＣＩに対応するＨＡＲＱ−ＡＣＫビット数）が同じに維持されている。本例は、図４の例と比べて、ＵＥがＤＣＩ＃４を検出しない点が異なる。
【０１０８】
ＵＥは、スロット＃ｎから＃ｎ＋５において、それぞれ以下のＨＡＲＱ−ＡＣＫを送信してもよい：
スロット＃ｎ：ＤＣＩ＃１のＡ／Ｎ
スロット＃ｎ＋１：ＤＣＩ＃１及び＃２についてバンドルされたＡ／Ｎ
スロット＃ｎ＋２：ＤＣＩ＃１、＃２及び＃３についてバンドルされたＡ／Ｎ
スロット＃ｎ＋３：ＤＣＩ＃１、＃２及び＃３についてバンドルされたＡ／Ｎ
スロット＃ｎ＋４：ＤＣＩ＃２及び＃３についてバンドルされたＡ／Ｎ
スロット＃ｎ＋５：ＤＣＩ＃３のＡ／Ｎ
【０１０９】
つまり、ＵＥは、同じスロットにおいて複数のＰＵＣＣＨ繰り返しのＡ／Ｎが存在する場合、これら全て又は一部にバンドリング（論理積演算）を適用したＡ／Ｎを送信してもよい。
【０１１０】
ＵＥは、１つ又は複数の繰り返しにおいて所定の数を超えないＨＡＲＱ−ＡＣＫを送信すると想定してもよい。言い換えると、ＵＥは、ＰＵＣＣＨ繰り返し中に、コードブックサイズ及びＰＵＣＣＨフォーマットの少なくとも一方が変化すると想定してもよい。上記所定の数（言い換えると、コードブックサイズの最大値）は上位レイヤシグナリングによって設定されてもよいし、仕様によって規定されてもよい。
【０１１１】
図９は、第３の実施形態におけるＰＵＣＣＨ繰り返しの５つ目の例を示す図である。本例においては、ＰＵＣＣＨ繰り返し中の各スロットにおいて、コードブックサイズ（ＤＣＩに対応するＨＡＲＱ−ＡＣＫビット数）が異なることが許容（又は想定）されている。なお、ＰＵＣＣＨ繰り返しに用いるコードブックサイズの最大値は、３が設定又は規定されたと想定する。
【０１１２】
ＵＥは、スロット＃ｎから＃ｎ＋５において、それぞれ以下のＨＡＲＱ−ＡＣＫを送信してもよい：
スロット＃ｎ：ＤＣＩ＃１
スロット＃ｎ＋１：ＤＣＩ＃１、＃２
スロット＃ｎ＋２：ＤＣＩ＃２、＃３、＃４
スロット＃ｎ＋３：ＤＣＩ＃２、＃３、＃４
スロット＃ｎ＋４：ＤＣＩ＃２、＃３、＃４
スロット＃ｎ＋５：ＤＣＩ＃３、＃４
【０１１３】
コードブックサイズに制限がなかった図５の例と比べると、本例ではスロット＃ｎ＋３及び＃ｎ＋４において、ＤＣＩ＃１−＃４のＡ／Ｎのうち、より新しいＤＣＩ＃２−＃４のＡ／Ｎが送信されている点が異なる。
【０１１４】
なお、第３の実施形態で説明したＡ／Ｎの決定方針、パターンなどは、組み合わせて用いられてもよい。
【０１１５】
また、ＵＥは、ＰＵＣＣＨ繰り返しが設定される場合には、動的ＨＡＲＱ−ＡＣＫコードブックを設定されている場合であっても、ＰＵＣＣＨ繰り返し内でコードブックサイズ及びＰＵＣＣＨフォーマットの一方又は両方が同じになる（変化しない又は維持される）ように基地局がスケジュールしていると想定してもよい。
【０１１６】
基地局は、あるＵＥに対してＰＵＣＣＨ繰り返し及び動的ＨＡＲＱ−ＡＣＫコードブックを設定する場合には、当該ＵＥのＰＵＣＣＨ繰り返し内でコードブックサイズ及びＰＵＣＣＨフォーマットの一方又は両方が同じになる（変化しない又は維持される）ように、スケジュールを実施してもよい。
【０１１７】
例えば、基地局は、ＵＥが所定の期間（例えば、繰り返し因数分のスロット）において１つのＰＵＣＣＨフォーマットを用いてＰＵＣＣＨ繰り返しを行うように、ＤＣＩ及びＰＤＳＣＨの少なくとも一方のスケジューリング（例えば、送信タイミング）を制御してもよい。
【０１１８】
基地局は、ＵＥが所定の期間（例えば、繰り返し因数分のスロット）において所定のコードブックサイズを超えないコードブックを用いてＰＵＣＣＨ繰り返しを行うように、ＤＣＩ及びＰＤＳＣＨの少なくとも一方のスケジューリング（例えば、送信タイミング）を制御してもよい。
【０１１９】
以上説明した第３の実施形態によれば、ＰＵＣＣＨ繰り返しの重複が発生する場合であっても、ＵＥは適当なＵＣＩを選択して送信できる。
【０１２０】
＜第４の実施形態＞
第４の実施形態では、ＰＵＣＣＨ繰り返しを設定されたＵＥは、１つの制御単位（例えば、ＣＧ、ＰＵＣＣＨグループ）内のサービングセルにおいて、１つ又は複数のスロットで異なるＰＤＳＣＨのためのＨＡＲＱ−ＡＣＫが、重複しないシンボルにおいてＰＵＣＣＨ繰り返しされるようなＰＤＳＣＨをスケジュールされてもよい。なお、ＵＥは、このようなスケジューリングが可能であるかどうかを通知するためのＵＥ能力情報（ＵＥ  capability  signaling）を、上位レイヤシグナリングを用いて基地局に報告してもよい。
【０１２１】
つまり、ＵＥは、複数のＰＵＣＣＨ繰り返しの期間が重複する一方で、それぞれのＰＵＣＣＨ繰り返しのためのリソースは時間的に重複しないと想定してもよい。
【０１２２】
図１０は、第４の実施形態におけるＰＵＣＣＨ繰り返しの一例を示す図である。本例は、図４の例と比べて、ＵＥが、ＤＬ  ＣＣ＃１においてＤＣＩ＃３を受信せず、ＤＬ  ＣＣ＃２においてＵＬ  ＣＣのスロット＃ｎ＋１から＃ｎ＋４のＰＵＣＣＨ繰り返しを指示するＤＣＩ＃３を検出する点が異なる。
【０１２３】
本例では、ＵＥは、ＤＣＩ＃１に基づいて、スロット＃ｎから＃ｎ＋３までＰＵＣＣＨ繰り返しを開始する。また、ＵＥは、ＤＣＩ＃２及び＃３に基づいて、スロット＃ｎ＋１から＃ｎ＋４までＰＵＣＣＨ繰り返しを開始する。
【０１２４】
ＤＣＩ＃１のＡ／Ｎの送信用ＰＵＣＣＨリソースは、ＤＣＩ＃２及び＃３のＡ／Ｎの送信用ＰＵＣＣＨリソースと異なるため、これらのＰＵＣＣＨ繰り返しのためのコードブックサイズ及びＰＵＣＣＨフォーマットは、異なって決定されてもよい。なお、ＵＥは、ＤＣＩのＡ／Ｎの送信用ＰＵＣＣＨリソースを、当該ＤＣＩ及び上位レイヤシグナリング（例えば、ＲＲＣシグナリング）の少なくとも一方に基づいて決定してもよい。
【０１２５】
以上説明した第４の実施形態によれば、ＰＵＣＣＨ繰り返しの期間が重複する場合であっても、ＵＥは異なるＰＵＣＣＨリソースを用いてＵＣＩを送信できる。
【０１２６】
＜第５の実施形態＞
第５の実施形態では、ＰＵＣＣＨ繰り返しを設定されたＵＥは、ＰＵＣＣＨ繰り返しのために以下の制約があると想定してもよい：
・ＵＥは、スロット｛ｘ｝（｛ｘ｝は、スロットｎ−Ｋ１より時間的に前のスロット（又はスロット群）に該当）におけるＰＤＳＣＨ送信に対応するＨＡＲＱ−ＡＣＫ送信を、スロットｎにおいて繰り返していないこと、
・ＵＥは、スロットｎ−Ｋ１において検出されたＰＤＳＣＨに対応するＨＡＲＱ−ＡＣＫ応答のみを、スロットｎからｎ＋ＮＡＮＲｅｐ−１において送信すること、
・ＵＥは、スロットｎからｎ＋ＮＡＮＲｅｐ−１においてその他の信号／チャネルを送信しないこと、
・ＵＥは、スロットｎ−Ｋ１＋１からｎ＋ＮＡＮＲｅｐ−Ｋ１−１において検出されたＰＤＳＣＨ送信に対応するＨＡＲＱ−ＡＣＫ応答の繰り返し送信を行わないこと。
ここで、ＮＡＮＲｅｐはＰＵＣＣＨ繰り返し因数に相当する。
【０１２７】
ＵＥは、第１のＤＣＩに基づくＰＵＣＣＨ繰り返しに別のＰＵＣＣＨ繰り返しを重複させるような、当該第１のＤＣＩより早い第２のＰＤＣＣＨ（ＤＣＩ）を、基地局のスケジューラが制限すると想定してもよい。また、ＵＥは、第１のＤＣＩに基づくＰＵＣＣＨ繰り返しに別のＰＵＣＣＨ繰り返しを重複させるような、当該第１のＤＣＩより遅い第３のＰＤＣＣＨ（ＤＣＩ）に対するＨＡＲＱ−ＡＣＫフィードバックを、基地局のスケジューラが制限すると想定してもよい。
【０１２８】
言い換えると、ＵＥは、上記第１のＤＣＩを受信した場合には、上記第２のＤＣＩ及び上記第３のＤＣＩの少なくとも一方は受信されない（基地局から送信されない）と想定してもよい。基地局（基地局のスケジューラ）は、上記第１のＤＣＩをＵＥに送信する場合には、上記第２のＤＣＩ及び上記第３のＤＣＩの少なくとも一方を当該ＵＥに送信しない制御を行ってもよい。
【０１２９】
以上説明した第５の実施形態によれば、ＰＵＣＣＨ繰り返しの重複を抑制し、ＵＥの処理の複雑化を抑制できる。
【０１３０】
＜その他＞
本開示におけるＨＡＲＱ−ＡＣＫの生成、ＨＡＲＱ−ＡＣＫの送信、ＨＡＲＱ−ＡＣＫの決定及びＨＡＲＱ−ＡＣＫの特定は、互いに読み替えられてもよい。また、本開示におけるＨＡＲＱ−ＡＣＫ、ＡＣＫ、ＮＡＣＫ、Ａ／Ｎ、ＨＡＲＱ−ＡＣＫビットなどは、互いに読み替えられてもよい。また、ＨＡＲＱ−ＡＣＫは、任意のＵＣＩ（例えば、ＳＲ、ＣＳＩ）又はＵＣＩの組み合わせで読み替えられてもよい。
【０１３１】
基地局は、以上述べた各実施形態のＵＥ動作を想定して、ＵＣＩ（ＨＡＲＱ−ＡＣＫ）の受信処理（復号など）を行ってもよいし、ＵＥに対するＰＤＳＣＨ、ＤＣＩなどのスケジューリングを行ってもよい。
【０１３２】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１３３】
図１１は、一実施形態に係る無線通信システムの概略構成の一例を示す図である。無線通信システム１では、システム帯域幅（例えば、２０ＭＨｚ）を１単位とする複数の基本周波数ブロック（コンポーネントキャリア）を一体としたキャリアアグリゲーション（ＣＡ）及びデュアルコネクティビティ（ＤＣ）の少なくとも一方を適用することができる。
【０１３４】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１３５】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１３６】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１３７】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【０１３８】
また、ユーザ端末２０は、各セルで、時分割複信（ＴＤＤ：Time  Division  Duplex）及び周波数分割複信（ＦＤＤ：Frequency  Division  Duplex）の少なくとも１つを用いて通信を行うことができる。また、各セル（キャリア）では、単一のニューメロロジーが適用されてもよいし、複数の異なるニューメロロジーが適用されてもよい。
【０１３９】
ニューメロロジーとは、ある信号又はチャネルの送信及び受信の少なくとも一方に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【０１４０】
例えば、ある物理チャネルについて、構成するＯＦＤＭシンボルのサブキャリア間隔及びＯＦＤＭシンボル数の少なくとも一方が異なる場合には、ニューメロロジーが異なると称されてもよい。
【０１４１】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【０１４２】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【０１４３】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【０１４４】
各ユーザ端末２０は、ＬＴＥ、ＬＴＥ−Ａ、ＮＲなどの各種通信方式に対応した端末であり、移動通信端末（移動局）だけでなく固定通信端末（固定局）を含んでもよい。
【０１４５】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及びＯＦＤＭＡの少なくとも一方が適用される。
【０１４６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１４７】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１４８】
下り制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及びＰＵＳＣＨの少なくとも一方のスケジューリング情報を含む下り制御情報（ＤＣＩ：Downlink  Control  Information）などが伝送される。
【０１４９】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１５０】
ＰＣＦＩＣＨによって、ＰＤＣＣＨに用いるＯＦＤＭシンボル数が伝送されてもよい。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送されてもよい。ＥＰＤＣＣＨは、ＰＤＳＣＨ（下り共有データチャネル）と周波数分割多重され、ＰＤＣＣＨと同様にＤＣＩなどの伝送に用いられる。
【０１５１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１５２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１５３】
（基地局）
図１２は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１５４】
下りリンクによって基地局１０からユーザ端末２０に送信されるユーザデータは、上位局装置３０から伝送路インターフェース１０６を介してベースバンド信号処理部１０４に入力される。
【０１５５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１５６】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１５７】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１５８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１５９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１６０】
図１３は、一実施形態に係る基地局の機能構成の一例を示す図である。なお、本例では、本実施形態における特徴部分の機能ブロックを主に示しており、基地局１０は、無線通信に必要な他の機能ブロックも有すると想定されてもよい。
【０１６１】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１６２】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１６３】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１６４】
制御部３０１は、システム情報、下りデータ信号（例えば、下り共有チャネルを用いて送信される信号）、下り制御信号（例えば、下り制御チャネルを用いて送信される信号）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１６５】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１６６】
制御部３０１は、上りデータ信号（例えば、上り共有チャネルを用いて送信される信号）、上り制御信号（例えば、上り制御チャネルを用いて送信される信号）、ランダムアクセスプリアンブル、上り参照信号などのスケジューリングを制御する。
【０１６７】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１６８】
送信信号生成部３０２は、例えば、制御部３０１からの指示に基づいて、下りデータの割り当て情報を通知するＤＬアサインメント及び上りデータの割り当て情報を通知するＵＬグラントの少なくとも一方を生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１６９】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１７０】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１７１】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び受信処理後の信号の少なくとも一方を、測定部３０５に出力する。
【０１７２】
測定部３０５は、受信した信号に関する測定を実施する。測定部３０５は、本開示に係る技術分野での共通認識に基づいて説明される測定器、測定回路又は測定装置から構成することができる。
【０１７３】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１７４】
なお、送受信部１０３は、ユーザ端末２０に対して、ＰＵＣＣＨ繰り返し及び動的ＨＡＲＱ−ＡＣＫコードブックを設定するための設定情報を送信してもよい。なお、ＰＵＣＣＨ繰り返しの設定情報と動的ＨＡＲＱ−ＡＣＫコードブックの設定情報は、別々の情報（例えば、別々のＲＲＣパラメータ）として送信されてもよいし、１つの情報として送信されてもよい。
【０１７５】
制御部３０１は、所定の期間（例えば、繰り返し因数分のスロット）において上記設定情報を受信したユーザ端末２０が１つのＰＵＣＣＨフォーマット又は所定のコードブックサイズを超えないコードブックを用いてＰＵＣＣＨ繰り返しを行うように、当該ユーザ端末２０に対する下り制御情報（ＤＣＩ）及び下りリンク共有チャネル（ＰＤＳＣＨ）の少なくとも一方のスケジューリングを制御してもよい。
【０１７６】
送受信部１０３は、当該所定のコードブックサイズ（ＰＵＣＣＨ繰り返しの最大コードブックサイズ）に関する情報を、ユーザ端末２０に送信してもよい。
【０１７７】
（ユーザ端末）
図１４は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１７８】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１７９】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１８０】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１８１】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１８２】
図１５は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１８３】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１８４】
制御部４０１は、ユーザ端末２０全体の制御を実施する。制御部４０１は、本開示に係る技術分野での共通認識に基づいて説明されるコントローラ、制御回路又は制御装置から構成することができる。
【０１８５】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１８６】
制御部４０１は、基地局１０から送信された下り制御信号、下りデータ信号などを、受信信号処理部４０４から取得する。制御部４０１は、下りデータ信号に対する再送制御の要否を判定した結果、下り制御信号などに基づいて、上り制御信号、上りデータ信号などの生成を制御する。
【０１８７】
制御部４０１は、基地局１０から通知された各種情報を受信信号処理部４０４から取得した場合、当該情報に基づいて制御に用いるパラメータを更新してもよい。
【０１８８】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１８９】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０１９０】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１９１】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１９２】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び受信処理後の信号の少なくとも一方を、測定部４０５に出力する。
【０１９３】
測定部４０５は、受信した信号に関する測定を実施する。測定部４０５は、本開示に係る技術分野での共通認識に基づいて説明される測定器、測定回路又は測定装置から構成することができる。
【０１９４】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１９５】
なお、制御部４０１は、上りリンク制御チャネル（ＰＵＣＣＨ）繰り返し（PUCCH  repetition）及び動的ＨＡＲＱ−ＡＣＫコードブックを設定される場合に、Ｔ−ＤＡＩ、Ｃ−ＤＡＩ、下りリンク共有チャネル（ＰＤＳＣＨ）の受信から当該ＰＤＳＣＨに対応するＨＡＲＱ−ＡＣＫの送信までのタイミング（Ｋ１）及び繰り返し因数（repetition  factor）の少なくとも１つに基づいて、スロットごとのＰＵＣＣＨ送信のためのコードブック（例えば、コードブックサイズ）及びＰＵＣＣＨフォーマットの一方又は両方を決定してもよい。
【０１９６】
送受信部２０３は、上記コードブック及びＰＵＣＣＨフォーマットの一方又は両方に基づくＨＡＲＱ−ＡＣＫを、ＰＵＣＣＨ繰り返しを適用して送信してもよい。
【０１９７】
制御部４０１は、ＰＵＣＣＨ繰り返し中に、所定の値を超えない範囲で上記コードブックのサイズの変動を許容（又は想定）してもよい。なお、本開示における「ＰＵＣＣＨ繰り返し中」は、「複数のＰＵＣＣＨ繰り返しが重複する期間」で読み替えられてもよい。
【０１９８】
制御部４０１は、ＰＵＣＣＨ繰り返し中のスロットにおいて、前のＰＤＳＣＨのためのＨＡＲＱ−ＡＣＫをドロップし、より新しいＰＤＳＣＨのためのＨＡＲＱ−ＡＣＫを送信するように制御してもよい。制御部４０１は、所定のコードブックサイズ以下になるように、送信するＨＡＲＱ−ＡＣＫを決定してもよい。
【０１９９】
制御部４０１は、ＰＵＣＣＨ繰り返し中に、（動的ＨＡＲＱ−ＡＣＫコードブックを設定されているにも関わらず）上記コードブックのサイズを同じに維持してもよい。
【０２００】
送受信部２０３は、複数のＰＵＣＣＨ繰り返しを、１スロット内の時間的に重複しないリソース（例えば、時間的に異なるシンボル）を用いて送信してもよい。
【０２０１】
制御部４０１は、所定の期間（例えば、繰り返し因数分のスロット）において１つのＰＵＣＣＨフォーマット又は所定のコードブックサイズを超えないコードブックを用いてＰＵＣＣＨ繰り返しを行うように、基地局１０によって下り制御情報（ＤＣＩ）及び下りリンク共有チャネル（ＰＤＳＣＨ）の少なくとも一方のスケジューリングが制御されていると想定し、送受信の処理を実施してもよい。
【０２０２】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２０３】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２０４】
例えば、本開示の一実施形態における基地局、ユーザ端末などは、本開示の無線通信方法の処理を行うコンピュータとして機能してもよい。図１６は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２０５】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０２０６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２０７】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２０８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２０９】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２１０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２１１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２１２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０２１３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２１４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２１５】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２１６】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２１７】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２１８】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２１９】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２２０】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２２１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２２２】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２２３】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２２４】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２２５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２２６】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２２７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２２８】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２２９】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２３０】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２３１】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２３２】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２３３】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２３４】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２３５】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２３６】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２３７】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２３８】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２３９】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２４０】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２４１】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２４２】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２４３】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２４４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２４５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２４６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２４７】
本開示において使用する「システム」及び「ネットワーク」という用語は、互換的に使用され得る。
【０２４８】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２４９】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２５０】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２５１】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２５２】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２５３】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２５４】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２５５】
同様に、本開示におけるユーザ端末は、基地局で読み替えてもよい。この場合、上述のユーザ端末２０が有する機能を基地局１０が有する構成としてもよい。
【０２５６】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２５７】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２５８】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２５９】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２６０】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２６１】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２６２】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２６３】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２６４】
また、「判断（決定）」は、「想定する（assuming）」、「期待する（expecting）」、「みなす（considering）」などで読み替えられてもよい。
【０２６５】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２６６】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２６７】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２６８】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２６９】
本開示において、例えば、英語でのa,  an及びtheのように、翻訳によって冠詞が追加された場合、本開示は、これらの冠詞の後に続く名詞が複数形であることを含んでもよい。
【０２７０】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020026296.tif 000003
【図２】
2020026296.tif 000004
【図３】
2020026296.tif 000005
【図４】
2020026296.tif 000006
【図５】
2020026296.tif 000007
【図６】
2020026296.tif 000008
【図７】
2020026296.tif 000009
【図８】
2020026296.tif 000010
【図９】
2020026296.tif 000011
【図１０】
2020026296.tif 000012
【図１１】
2020026296.tif 000013
【図１２】
2020026296.tif 000014
【図１３】
2020026296.tif 000015
【図１４】
2020026296.tif 000016
【図１５】
2020026296.tif 000017
【図１６】
2020026296.tif 000018
【国際調査報告】
2020026296.tif 000019
2020026296.tif 000020
2020026296.tif 000021
2020026296.tif 000022